(57)【要約】【課題】  電線同士を接続する電線接続子において、被接続物の極めて近傍で電線を接続しなければならない場合でも、被接続物を損傷することなく電線の絶縁外被をも保持するように電線を圧着することができるようにする。【解決手段】  略筒状に形成された本体部１ａは、互いに対向する平面部８、１０および対向する側壁１２、１４を有し、両側壁にはスロット２０が形成されているとともに、両側壁の中央部分にくびれ部１２ａ、１４ａが形成され、くびれ部によって画成された２つの電線収容部の一方に挿入された一方の電線と、他方の電線収容部またはスロット２０のいずれかに挿入された他方の電線とを電気的に接続する電線接続子において、本体部１ａには、挿入される一方の電線の外被を保持する外被保持部２４が、本体部の変形にともなって外被を保持するように本体部と一体に形成されている。【選択図】          図１
2006049089.tif 000002
【特許請求の範囲】
【請求項１】
１枚の金属板を折り曲げて略筒状に形成された本体部を備え、該本体部は、互いに対向する平面部および該平面部同士を連結する対向する側壁を有し、該両側壁には前記両平面部間に亘って延びるスロットが形成されているとともに、前記両側壁の中央部分に互いに接近するくびれ部が形成され、該くびれ部によって画成された２つの電線収容部の一方に挿入された一方の電線と、他方の電線収容部または前記スロットのいずれかに挿入された他方の電線とを前記平面部を相対的に接近させるように加締めて前記電線同士を電気的に接続する電線接続子において、
前記本体部には、前記挿入される一方の電線の絶縁外被を保持する外被保持部が、前記本体部の変形にともなって前記絶縁外被を保持するように前記本体部と一体に形成されてなることを特徴とする電線接続子。
【請求項２】
前記外被保持部は、挿入される前記一方の電線の前記絶縁外被の外周方向に延びる互いに対向する保持片と、該保持片および前記本体部の対応する前記側壁を連結する連結片とを有していることを特徴とする請求項１記載の電線接続子。
【請求項３】
前記連結片は、前記平面部と前記くびれ部の間の前記一方の電線収容部の側の前記側壁の非変形部に連結されていることを特徴とする請求項２記載の電線接続子。
【請求項４】
前記本体部は、前記一方の電線収容部の側の前記平面部に、前記保持片と協働して前記一方の電線の絶縁外被を保持する保持舌片をさらに有していることを特徴とする請求項１から３いずれか１項記載の電線接続子。
【請求項５】
前記一方の電線は多数の芯線を有し、前記他方の電線は単線であることを特徴とする請求項１から４いずれか１項記載の電線接続子。
【請求項６】
前記一方の電線収容部の側の前記平面部の前記保持舌片と逆側に、前記他方の電線収容部に挿入された前記単線の外周に、加締の際前記単線の外周に食い込んで該単線の抜止めとなる補強スロットが形成された圧接板を有することを特徴とする請求項５記載の電線接続子。
【発明の詳細な説明】
【技術分野】
【０００１】
本発明は、電線同士を接続する電線接続子に関し、特に、電子機器内で、電線同士を連結する電線接続子に関するものである。
【背景技術】
【０００２】
従来、パーソナルコンピュータ等の小型の電子機器には、薄型の液晶の表示装置（ディスプレイ）の背面に、表示面を照明する細長い蛍光管（バックライト）が内蔵されている。この蛍光管の両端部には単線（ジュメット線）である導入線即ち電線が突出している。これらの単線は、電子機器の本体から延びる複数の芯線を有する電線と電線接続子を介して圧着接続されている。
【０００３】
このような電線接続子は、例えば、１枚の金属板を、中央部分の両側で折り曲げて、両端に一方の電線が挿入される開放端部を有する閉鎖環を有する。この閉鎖環の両側壁の中間部には、互いに接近するよう内方に突出する凹み（くびれ部）が閉鎖環の軸線に沿って形成されている（特許文献１）。この電線接続子の両側壁には、閉鎖環の上下の平面部に亘って延びるスロットが形成されており、他方の電線を開放端部またはスロットに選択的に挿通することができる。そして、両電線を挿入後、中央部分の凹みが互いに接近するよう上下方向に押圧して電線接続子を加締めることにより、電線同士を電気的に接続するように構成されている。
【特許文献１】特開２００３−２７２７２５号公報（図２、図３、図６）
【発明の開示】
【発明が解決しようとする課題】
【０００４】
前述の電線接続子の電線の接続部においては、電子機器側の電線は、その多数の芯線が、電線接続子に圧着により固定されているので、電線の絶縁外被への外力により芯線の部分が電線接続子のエッジに干渉して断線するおそれがあり、また、圧着時の衝撃により被接続電線に連なる蛍光管が破損するおそれもある。一般的なコンタクトであれば、電線の絶縁外被に圧着される絶縁体圧着バレルが芯線圧着バレルとともに形成されていて、芯線を圧着するとともに絶縁外被を圧着して絶縁外被を保持し、芯線に過度の応力がかからないようになっている。しかし、蛍光管（被接続物）は電線接続子に極めて近接して、例えば０．５ｍｍの間隔で圧着接続されるため絶縁体圧着バレルを形成したとしても、電線接続子に絶縁体圧着バレルを加締めるクリンパがこの蛍光管に干渉して、蛍光管を破損してしまうおそれがある。
【０００５】
本発明は、以上の点に鑑みてなされたものであり、被接続物の極めて近傍で電線を接続しなければならない場合でも、被接続物を損傷することなく電線の絶縁外被をも保持するように電線を圧着することができる電線接続子を提供することを目的とする。
【０００６】
本発明の他の目的は、圧着された芯線に過度の曲げ負荷が生じて断線することを防止し、電線同士が確実に電気的に接続されることにある。
【課題を解決するための手段】
【０００７】
本発明の電線接続子は、１枚の金属板を折り曲げて略筒状に形成された本体部を備え、本体部は、互いに対向する平面部および平面部同士を連結する対向する側壁を有し、両側壁には両平面部間に亘って延びるスロットが形成されているとともに、両側壁の中央部分に互いに接近するくびれ部が形成され、くびれ部によって画成された２つの電線収容部の一方に挿入された一方の電線と、他方の電線収容部またはスロットのいずれかに挿入された他方の電線とを平面部を相対的に接近させるように加締めて電線同士を電気的に接続する電線接続子において、本体部には、挿入される一方の電線の絶縁外被を保持する外被保持部が、本体部の変形にともなって絶縁外被を保持するように本体部と一体に形成されていることを特徴とするものである。
【０００８】
上記外被保持部部は、挿入される一方の電線の絶縁外被の外周方向に延びる互いに対向する保持片と、保持片および本体部の対応する側壁を連結する連結片とを有するように構成することができる。
【０００９】
また、連結片は、平面部とくびれ部の間の一方の電線収容部の側の側壁の非変形部に連結されていることが好ましい。
【００１０】
また、本体部は、一方の電線収容部の側の平面部に、保持片と協働して一方の電線の絶縁外被を保持する保持舌片をさらに有してもよい。
【００１１】
一方の電線は多数の芯線を有し、他方の電線は単線とすることができる。
【００１２】
一方の電線収容部の側の平面部の保持舌片と逆側に、他方の電線収容部に挿入された単線の外周に、加締の際単線の外周に食い込んで単線の抜止めとなる補強スロットが形成された圧接板を有してもよい。
【００１３】
ここでいう「電線」とは、柔軟性を有する芯線を複数本有する電線の他、比較的硬質のジュメット線の如き単線も含むものとする。
【００１４】
また、他方の電線収容部側の平面部に保持片支持部を突設して、この保持片支持部により圧着時に保持片を支持するようにしてもよい。
【発明の効果】
【００１５】
本発明の電線接続子は、電線接続子の本体部に、挿入される一方の電線の絶縁外被を保持する外被保持部が、本体部の変形にともなって外被を保持するように本体部と一体に形成されているので、本体部のみを加締めるだけで、外被保持部が電線の外被を保持するので、バックライト用の蛍光管のような被接続物の極めて近傍で電線を接続しなければならない場合でも、電線接続子を圧着（加締）するクリンパを被接続物に干渉する大きさとする必要がない。従って、圧着時に被接続物を損傷することなく接続される一方の電線の絶縁外被を保持するように電線を加締めることができる。また、これによって、絶縁外被と芯線とが相対的に移動しにくいようになるので、芯線に過度の曲げ負荷が生じて断線することが防止される。
【００１６】
上記外被保持部が、挿入される一方の電線の絶縁外被の外周方向に延びる互いに対向する保持片と、保持片および本体部の対応する側壁を連結する連結片とを有するように構成されている場合は、これらの保持片により電線の絶縁外被を保持片が延びている範囲内で保持することができる。
【００１７】
また、連結片が、平面部とくびれ部の間の一方の電線収容部の側の側壁の非変形部に連結されている場合は、電線接続子の圧着により、保持片自体に外力を受けることなく変位して保持片で電線の絶縁外被を保持することができる。
【００１８】
また、本体部が、一方の電線収容部の側の平面部に、保持片と協働して一方の電線の絶縁外被を保持する保持舌片をさらに有している場合は、３方向により電線の絶縁外被を一層確実に保持することができる。
【００１９】
一方の電線は多数の芯線を有し、他方の電線は単線である場合は、単線と複数の芯線との接続が容易にできる。
【００２０】
一方の電線収容部の側の平面部の保持舌片と逆側に、他方の電線収容部に挿入された単線の外周に、加締の際単線の外周に食い込んで単線の抜止めとなる補強スロットが形成された圧接板を有している場合は、補強スロットにより単線の抜止めが確実になされるので、電気的接続の信頼性が一層向上する。
【発明を実施するための最良の形態】
【００２１】
以下、本発明の電線接続子の好ましい実施の形態について、添付図面を参照して詳細に説明する。図１は、電線接続子をキャリヤストリップの一部と共に示す側面図、図２は電線接続子の平面図、図３は、電線接続子をキャリヤストリップの一部と共に示す図であり、図３（ａ）は図１の矢視４から見た正面図、図３（ｂ）は図１の矢視６から見た電線接続子の一部となる圧接板のみを部分的に示す背面図である。以下、図１から図３を参照して説明する。
【００２２】
電線接続子１は、燐青銅板（銅合金）等の塑性変形が可能な１枚の金属板から打ち抜かれた外形が略矩形の板部材から構成される。キャリヤストリップ２に接続された板部材を筒状に折曲げて、キャリヤストリップ２側で重ね合わせるように本体部１ａが形成される。電線接続子１は、キャリヤストリップ２の接続片（保持片支持部）２ａと一体に連続した略平板状の外側底壁８ａと、この底壁８ａの上に重ねられた内側底壁８ｂとにより構成される底壁（平面部）８を有する。また、上部には底壁８と平行な略平坦な上壁（平面部）１０を有する。上壁１０と底壁８（８ａ、８ｂ）を連結する側壁１２、１４は、中央部が互いに接近するように内側に折り曲げられた、即ちくびれたくびれ部１２ａ、１４ａを有する。これにより、くびれ部１２ａ、１４ａの上下両側に、略三角形状の電線収容部１６、１８が形成される（図３）。
【００２３】
側壁１２、１４には、図１に示すように、上壁１０と底壁８間に亘るスロット２０が上壁１０および底壁８と直角に形成されている。このスロット２０の、電線収容部１８に対応する位置、即ち底壁８側には後述する単線５６（図６（ａ））を受容することができる大きさの直径の円の一部となる円弧状の縁部２０ａが形成されている。これらの対向する縁部２０ａにより電線収容部２１が構成される。この縁部２０ａは、スロット２０の直線状の縁部２０ｂに連続している。単線５６は、必要に応じ電線収容部１８、またはスロット２０に選択的に挿入して、それぞれ直線的な接続（ストレート接続）や、交差した接続（クロス接続）が可能である。
【００２４】
側壁１２、１４の正面側の側縁１２ｂ、１４ｂには、連結片２２を介して１対の保持片２４（２４ａ、２４ｂ）が前方に突出するように形成されている。この保持片２４は外被保持部となる。ここで正面側とは、便宜上、図１において、後述する電線５０（図６（ａ））が挿入される電線接続子１の左側を称し、前方とは同様に左側方向をいうものとする。各連結片２２は、側縁１２ｂ、１４ｂの上側の電線収容部１６に対応する位置に、互いに離隔しつつ前方に延出するように形成されている。保持片２４ａ、２４ｂは、各連結片２２の先端に上下方向に延出するように形成されており、保持片２４ａは短く、保持片２４ｂは、保持片２４ａより長く形成されている。
【００２５】
各保持片２４ａ、２４ｂは、図３に最もよく示されているように、各々電線収容部１６側に向く上湾曲部２６ａ、２６ｂ、下湾曲部２８ａ、２８ｂおよびこれらを連結する平坦部３０ａ、３０ｂから構成されている。前述の連結片２２は、この平坦部３０ａ、３０ｂに連結されている。保持片２４ａ、２４ｂの位置は、図３（ａ）に最もよく示されているように、正面から見て電線収容部１６の外側に位置し、平坦部３０ａ、３０ｂの傾斜が、電線収容部１６における側壁１２、１４の傾斜に近似したものとなっている。これにより電線収容部１６に、後述する電線５０を挿入する際に、電線５０の絶縁外被５０ａが、保持片２４ａ、２４ｂと干渉することが防止される。
【００２６】
上壁１０の正面側の端縁１０ａには、前方に延びる保持舌片（外被保持部）３２が突設されている。保持舌片３２は、段部３２ａ（図１）を介して上壁１０より上方に変位しており、電線収容部１６に収容される電線５０の絶縁外被５０ａと干渉しないようになっている。また、上壁１０の反対側即ち電線接続子１の背面側の端縁１０ｂには、略矩形の圧接板３４が、電線接続子１の側縁１２ｃ、１４ｃから僅かに離隔して下向きに突設されている。この圧接板３４には、図３（ｂ）に最もよく示すように、圧接板３４の下端３４ａに開放するスロット３６が形成されている。このスロット３６は、電線接続子１の電線５０の挿入方向に沿って延びる中心軸線３５（図３（ａ））と整列している。スロット３６の下端３４ａ側には、テーパ３４ｂが形成されている。この圧接板３４は、圧着時に電線収容部１８に挿入された単線５６の外周と係合して接続の機械的強度を付与する。
【００２７】
上壁１０の内面１０ｃには、互いに離隔した１対のビード３８が、電線収容部１６の長手方向に沿って打ち出しにより形成されている。これは、電線５０の芯線５０ｂ（図９（ａ））が、これらのビード３８の間にまとまって配置されるように芯線５０ｂの移動を規制するためのものである。他方、内側底壁８ｂにも同様のビード４０が４つ形成されている。これらのビード４０は図３（ａ）からわかるように、正面側から見て互いに左右に離隔し、且つ図１に示すように側面側から見て互いに前後に離隔するように配置されている。これらのビード４０は、単線５６が電線収容部１８に挿入される場合の単線５６の位置決めに使用され、また、単線５６がスロット２０から挿入される場合にも、図１に示されるようにビード４０の間が前後方向に離隔しているので、単線５６がこの間に位置決めされる。なお、キャリヤストリップ２の接続片２ａは、図１および図２に示されるように切断線４２の部分で切断されて、電線接続子１がキャリヤストリップ２から切り離される。図３の接続片２ａは、切断された部分を示す。
【００２８】
次に、図４および図５を参照して、さらに電線接続子１について説明する。図４は、図１のＩＶ−ＩＶ線に沿う断面図であり、図５は図１のＶーＶ線に沿う断面図である。図４中、斜線部分は連結片２２が連結されている側壁１２、１４の部分を示す。電線接続子１は、上壁１０と底壁８とを相対的に接近させるように圧縮即ち加締ることにより、電線同士を接続するためのものである。従って、この加締により変形する部分即ち変形可能部は、図４中４４で示す部分である。即ち、上壁１０と側壁１２、１４とを連結する湾曲部４４ｃ、４４ｂ、また、外側底壁８ａ、内側底壁８ｂと側壁１２、１４とを連結する湾曲部４４ａ、４４ｄである。また前述の側壁１２、１４のくびれ部１２ａ、１４ａも変形可能部となる。
【００２９】
これらの変形可能部４４は、上壁１０と底壁８が互いに接近するように加締められると徐々に曲率半径を小さくするように変形してゆく。しかし、側壁１２、１４の各変形可能部４４とくびれ部１２ａ、１４ａとの間の平坦な側壁部分（非変形部）４５（４５ａ、４５ｂ）は、ほとんど変形することなく単にその位置および傾斜の程度が変化するだけである。したがって、側壁１２、１４のこれらの平坦な側壁部分４５に連結片２２を介して取り付けられた保持片２４（図１、図３）は、クリンパ６２（図６（ａ））により外力が加えられなくとも、電線接続子１の変形に応じてそれらの位置が徐々に変化する。この加締の過程の詳細については後述する。
【００３０】
図５では、前述のビード３８および４０が、それぞれ上壁１０、内側底壁８ｂから内方に打ち出されたものであることが明瞭に示されている。また、前述の圧接板３４のスロット３６と、単線５６が配置されるビード４０とは整列している。
【００３１】
次に、図６を参照して電線接続子１の加締の過程について説明する。図６は、電線接続子１の加締の過程を示し、図６（ａ）は加締められる前の状態、図６（ｂ）は、加締の初期段階、図６（ｃ）は加締の中間の段階、図６（ｄ）は加締の終了直前の状態、図６（ｅ）は加締が終了した状態をそれぞれ示す。
【００３２】
図６（ａ）において、電線接続子１の圧着前に、電線収容部１６には電線５０の複数の芯線５６ｂ（図６（ｅ））が挿入される。このとき、電線５０の絶縁外被５０ａは、保持片２４ａ、２４ｂ、保持舌片３２で囲まれた範囲内に配置される。また、蛍光管の単線（ジュメット線）５６は、前述のスロット２０に挿入されている。図６（ａ）中、５４ａで示す小径の一点鎖線の円は、この電線接続子１に使用可能な最小直径が約０．９mmの電線５４の絶縁外被を示す。
【００３３】
この状態にある電線接続子１の底壁８をアンビル６０上に配置し、上壁１０をクリンパ６２により下方に押圧すると、電線接続子１は前述の変形可能部４４（４４ａ、４４ｂ、４４ｃ、４４ｄ）およびくびれ部１２ａ、１４ａの変形が始まる。図６（ａ）からわかるように、クリンパ６２は電線接続子１の上壁１０と略同じ程度の寸法を有している。そして図６（ｂ）に示すように、くびれ部１２ａ、１４ａが互いに密接するが、この間、保持片２４ａ、２４ｂは、電線収容部１６の側壁１２、１４の変位に伴って、徐々に変位する。しかし保持片２４ａ、２４ｂにはクリンパからの外力は直接には加わっていない。なお、図６（ｂ）〜図６（ｄ）までは、収容された電線５０、５６を省略してある。
【００３４】
さらに上壁１０が下方に押圧されると、図６（ｃ）を経て図６（ｄ）のように変形する。このとき、保持片２４ｂの上に保持片２４ａが位置する。そしてさらに上壁１０が、下方に圧着されると、図６（ｅ）に示すように保持片２４ｂの下湾曲部２８ｂは、キャリヤストリップ２の接続片２ａ上に接触して下方への変位が阻止される。そして、電線５０の絶縁外被５０ａは保持片２４ａの下湾曲部２８ａが食い込むように変形し、保持片２４ａ、２４ｂおよび保持舌片３２との間に保持される。このとき電線５０の芯線５０ｂは、潰れた電線収容部１６内に圧着される。そして小径の電線５４の場合は、保持舌片３２と保持片２４ａにより、また場合によりさらに保持片２４ｂとにより保持される。
【００３５】
このように、電線接続子１の圧着により、保持片２４（２４ａ、２４ｂ）はクリンパ６２によりなんら外力を受けることなく、電線５０の絶縁外被５０ａの周囲に移動し、保持舌片３２と協働して電線５０を保持する。特に、保持片２４ａが保持片２４ｂにより支持され、さらに、この保持片２４ｂが接続片２ａにより下方向への変位が阻止されるように支持されているので、電線５０は、電線接続子１近傍の絶縁外被５０ａの部分の変位が確実に規制される。また、これらの保持片２４、接続片２ａの重なった部分は、固定したアンビル６０側に位置しているので、圧着時にずれるおそれが少なく、安定した接続ができる。換言すると、重ね合わされた底壁８（８ａ、８ｂ）が下側即ちアンビル６０側に配置されており、底壁８の位置ずれが生じにくいので、保持片２４ａ、２４ｂが上方から下方に位置を変えながら圧着されても、保持片２４ａ、２４ｂは最終的には所定の形状に安定的に圧着される。従って、最も位置ずれしにくい外側底壁８ａに形成された接続片２ａ上に保持片２４ｂ、２４ａが順次支持され、電線５０は、これらの接続片２ａ、保持片２４ａ、２４ｂおよび前述の保持舌片３２とにより３方向から加締められて確実に固定される。また、比較的硬質の単線５６は、その上下位置が、圧着の過程でほとんど変わらないので、電線接続子１の近傍に位置する蛍光管８０（図７）に単線５６の変位による外力が加わることがない。
【００３６】
従って、圧着時に蛍光管に圧着の衝撃が伝搬することがなく、蛍光管８０が衝撃により破損することが防止される。電線接続子１による接続部分には、高電圧、例えば１．８ＫＶ〜６．０ＫＶの電圧が印加されるが、比較的広い面積で電線同士が接続されるので放電するおそれも少ない。
【００３７】
次に、本発明の電線接続子の第２の実施形態について、図７および図８を参照して説明する。図７は第２の実施形態の電線接続子１００を使用して電線５０と単線５６を接続した状態を示し、図７（ａ）は平面図、図７（ｂ）は側面図をそれぞれ示す。また、図８は、図７（ａ）のVIII-VIII線に沿った、電線接続子１００を圧着した状態の断面図を示す。電線接続子１００は、第１の実施形態の電線接続子１と同様に１枚の金属板を打ち抜き折り曲げて形成されるが、金属板の重ね合わせ部分を電線接続子１００の上部に位置させた点が相違する。上壁１１０（平面部）は、この上部の外側上壁１１０ａと内側上壁１１０ｂにより構成される。
【００３８】
以下、第１の実施形態と同様な構成については説明を省略し、主として相違点について説明する。内側上壁１１０ｂには、前述の保持舌片３２に対応する保持舌片１３２が形成されている。この保持舌片１３２は、電線接続子１００の軸線に沿って前方に延び、さらに上方に向けて折り曲げられている。これが電線５０の上方への移動を阻止しているとともに保持片（外被保持部）１２４と協働して、電線５０を保持している。また、第１の実施形態の圧接板３４に相当する部分は省略されている。
【００３９】
この実施形態では、蛍光管８０の単線（電線）５６はスロット１２０内に挿入されている。即ち電線５０と単線５６は直交するように接続されている。このとき、単線５６は、第１の実施形態と同様に、スロット１２０内に移動し、スロット１２０は単線５６の外周に食い込んで、電線接続子１００と単線５６との電気的接続が確実になされる。これにより単線５６と電線５０の芯線５０ｂが密着する。図８には電線接続子１００の圧着により、電線５０の芯線５０ａと単線５６が密接状態に電気的に接続されているのが示されている。
【００４０】
この第２の実施形態の電線接続子１００においても、第１の実施形態と同様に、電線５０と単線５６を平行な状態に保持して圧着することが可能であり、この状態を図９を参照して説明する。図９は、図８と異なる接続形態を示す電線接続子１００を示し、図９（ａ）は側面図、図９（ｂ）は平面図、図９（ｃ）は図９（ｂ）のIXc-IXc線に沿う断面図である。この接続形態では、蛍光管８０の単線５６は、電線収容部１１８に電線５０と逆側から挿入される。圧着の仕方は前述の第１の実施形態の場合と同様であるので説明は省略する。図９（ｃ）では完全に圧着された状態を示すが、電線５０の芯線５０ｂは電線収容部１１６に圧着され、単線５６は電線収容部１１８内に圧着されている。これにより芯線５０ａと単線５６は電線接続子１００を介して電気的に接続される。
【図面の簡単な説明】
【００４１】
【図１】本発明の第１の実施形態の電線接続子をキャリヤストリップの一部と共に示す側面図
【図２】図１の電線接続子の平面図
【図３】図１の電線接続子をキャリヤストリップの一部と共に示す図であり、（ａ）は図１の矢視４から見た正面図、（ｂ）は図１の矢視６から見た、電線接続子の一部となる圧接板のみを部分的に示す背面図
【図４】図１のＩＶ−ＩＶ線に沿う電線接続子の断面図
【図５】図１のＶーＶ線に沿う電線接続子の断面図
【図６】図１の電線接続子の加締の過程を示し、（ａ）は加締められる前の状態、（ｂ）は加締の初期段階、（ｃ）は加締の中間の段階、（ｄ）は加締の終了直前の状態、（ｅ）は加締が終了した状態をそれぞれ示す。
【図７】本発明の第２の実施形態の電線接続子を使用して電線と単線を接続した状態を示し、（ａ）は平面図、（ｂ）は側面図をそれぞれ示す。
【図８】図７（ａ）のVIII-VIII線に沿った、電線接続子を圧着した状態の断面図
【図９】図８と異なる接続形態を示す、本発明の第２の実施形態の電線接続子を示し、（ａ）は側面図、（ｂ）は平面図、（ｃ）は図９（ｂ）のIXc-IXc線に沿う断面図である。
【符号の説明】
【００４２】
１、１００    電線接続子
１ａ    本体部
８、１０、１１０    平面部
１２、１４    側壁
１２ａ、１４ａ    くびれ部
１６、１８、１１６、１１８    電線収容部
２０、１２０    スロット
２２    連結片
２４ａ、２４ｂ、１２４    保持片（外被保持部）
３２、１３２    保持舌片（外被保持部）
３４    圧接板
３６    補強スロット
４５ａ、４５ｂ    非変形部    
５０    一方の電線
５０ａ    絶縁外被
５０ｂ    芯線
５６    他方の電線
８０    蛍光管
【図１】
2006049089.tif 000003
【図２】
2006049089.tif 000004
【図３】
2006049089.tif 000005
【図４】
2006049089.tif 000006
【図５】
2006049089.tif 000007
【図６】
2006049089.tif 000008
【図７】
2006049089.tif 000009
【図８】
2006049089.tif 000010
【図９】
2006049089.tif 000011